(57)【要約】【課題】埋込み型および露出型の間で相互に転用可能な監視カメラを提供する。【解決手段】撮像装置１１を搭載する撮像ブロック１０と、撮像ブロックの一端に装着され、回路基板２１を搭載する本体ブロック２０と、本体ブロックが壁面Ｗに埋込まれた状態で自装置を壁面に支持するために、支持板５０を取付け可能な支持板取付け部３０と、本体ブロックが壁面から露出した状態で自装置を壁面に支持するために、支柱６０を取付け可能な支柱取付け部４０と、自装置が壁面に支持された状態で、撮像装置が壁面に対してチルト動作自在となるように、撮像装置を撮像ブロックに支持するチルト機構１３と、を備える。【選択図】図２Ａ
2011114709.tif 000002
【特許請求の範囲】
【請求項１】
撮像装置を搭載する撮像ブロックと、
前記撮像ブロックの一端に装着され、回路基板を搭載する本体ブロックと、
前記本体ブロックが壁面に埋込まれた状態で自装置を前記壁面に支持するために、第１の支持部材を取付け可能な第１の取付け部と、
前記本体ブロックが壁面から露出した状態で自装置を前記壁面に支持するために、第２の支持部材を取付け可能な第２の取付け部と、
自装置が前記壁面に支持された状態で、前記撮像装置が前記壁面に対してチルト動作自在となるように、前記撮像装置を前記撮像ブロックに支持するチルト機構と、
を備える監視カメラ。
【請求項２】
前記第１の取付け部は、自装置が前記壁面に支持された状態で、自装置が前記壁面に対してパン動作自在となるように、自装置を前記壁面に支持する、請求項１に記載の監視カメラ。
【請求項３】
前記本体ブロックと前記撮像ブロックが一体化された状態で、寸胴状をなすように形成される、請求項１または２に記載の監視カメラ。
【請求項４】
前記撮像ブロックは、略ドーム状に形成され、前記本体ブロックは、前記撮像ブロックのドーム直径に相当する直径を伴う略円柱状に形成される、請求項１〜３のいずれか１項に記載の監視カメラ。
【請求項５】
前記撮像ブロックが装着された前記本体ブロックを、前記壁面に設けられた穴に埋込み、前記撮像ブロックまたは前記本体ブロックに前記第１の支持部材を前記第１の取付け部を介して取付け、前記第１の支持部材を前記壁面に固定し、前記撮像装置のチルト角度を調節することで設置される、請求項１〜４のいずれか１項に記載の監視カメラ。
【請求項６】
前記撮像ブロックが装着された前記本体ブロックを、前記壁面に固定された前記第２の支持部材に前記第２の取付け部を介して取付け、前記撮像装置のチルト角度を調節することで設置される、請求項１〜４のいずれか１項に記載の監視カメラ。
【請求項７】
前記本体ブロックは、アルミニウムの押出し成形品である、請求項１〜６のいずれか１項に記載の監視カメラ。
【請求項８】
前記本体ブロックに複数の放熱フィンが形成される、請求項１〜７のいずれか１項に記載の監視カメラ。
【請求項９】
前記本体ブロック内には、前記回路基板に接触する熱伝導部材が前記第２の取付け部に近接して設けられ、
前記第２の取付け部には、前記熱伝導部材を介して前記回路基板に接触するように前記第２の支持部材が取付けられる、請求項１〜８のいずれか１項に記載の監視カメラ。
【請求項１０】
前記第１の支持部材および／または前記第２の支持部材をさらに備える、請求項１〜９のいずれか１項に記載の監視カメラ。
【発明の詳細な説明】
【技術分野】
【０００１】
本発明は、監視カメラに関する。
【背景技術】
【０００２】
監視カメラとしては、監視用途に応じて、壁面に埋込まれて設置される埋込み型と、壁面から露出して設置される露出型が利用されている。
【０００３】
埋込み型は、撮像装置を覆うドーム状の撮像ケースが壁面から露出し、その他の少なくとも一部が壁面に埋込まれた状態で設置される。露出型は、外装ケース等により覆われた、撮像装置およびその他の部分が壁面から露出した状態で設置される。また、埋込み型は、ドーム面の特定方向が撮影対象に対向するように設置され、露出型は、監視カメラの前面（正面）が撮影対象に対向するように設置される。
【発明の概要】
【発明が解決しようとする課題】
【０００４】
ところで、埋込み型と露出型では、監視用途および設置状態が異なり、それらの形状が大きく異なるので、相互に転用することができない。よって、埋込み型または露出型として専用に設計された製品が別個に製造、販売、使用されている。このため、製造者は、製造コストの削減、在庫数の低減等を行う上で支障を感じる場合があった。また、使用者は、監視用途または設置状態の変化に応じて、異なる形式の製品を新たに購入する必要があった。
【０００５】
そこで、本発明は、埋込み型および露出型の間で相互に転用可能な監視カメラを提供しようとするものである。
【課題を解決するための手段】
【０００６】
本発明のある実施形態によれば、撮像装置を搭載する撮像ブロックと、撮像ブロックの一端に装着され、回路基板を搭載する本体ブロックと、本体ブロックが壁面に埋込まれた状態で自装置を壁面に支持するために、第１の支持部材を取付け可能な第１の取付け部と、本体ブロックが壁面から露出した状態で自装置を壁面に支持するために、第２の支持部材を取付け可能な第２の取付け部と、自装置が壁面に支持された状態で、撮像装置が壁面に対してチルト動作自在となるように、撮像装置を撮像ブロックに支持するチルト機構と、を備える監視カメラが提供される。
【０００７】
かかる構成によれば、第１の支持部材を用いることで、監視カメラを埋込み型として設置する一方で、第２の支持部材を用いることで、監視カメラを露出型として設置することができる。そして、撮影対象をカバーするように、設置形式に応じて撮像装置の撮影方向をチルト調節することで、監視カメラを埋込み型または露出型として機能させることができる。これにより、監視カメラを埋込み型および露出型の間で相互に転用することができる。
【０００８】
また、第１の取付け部は、自装置が壁面に支持された状態で、自装置が壁面に対してパン動作自在となるように、自装置を壁面に支持してもよい。
【０００９】
また、本体ブロックと撮像ブロックが装着された状態で、寸胴状をなすように形成されてもよい。
【００１０】
また、撮像ブロックは、略ドーム状に形成され、本体ブロックは、撮像ブロックのドーム直径に相当する直径を伴う略円柱状に形成されてもよい。
【００１１】
また、壁面に対する設置は、撮像ブロックが装着された本体ブロックを、壁面に設けられた穴に埋込み、撮像ブロックまたは本体ブロックに第１の支持部材を第１の取付け部を介して取付け、第１の支持部材を壁面に固定し、撮像装置のチルト角度を調節することで行われてもよい。
【００１２】
また、天井面に対する設置は、撮像ブロックが装着された本体ブロックを、天井面に固定された第２の支持部材に第２の取付け部を介して取付け、撮像装置のチルト角度を調節することで行われてもよい。
【００１３】
また、本体ブロックは、アルミニウムの押出し成形品でもよい。
【００１４】
また、本体ブロックに複数の放熱フィンが形成されてもよい。
【００１５】
また、本体ブロック内には、回路基板に接触する熱伝導部材が第２の取付け部に近接して設けられ、第２の取付け部には、熱伝導部材を介して回路基板に接触するように第２の支持部材が取付けられてもよい。
【００１６】
また、監視カメラは、第１の支持部材および／または第２の支持部材をさらに備えてもよい。
【発明の効果】
【００１７】
以上説明したように本発明によれば、埋込み型および露出型の間で相互に転用可能な監視カメラを提供することができる。
【図面の簡単な説明】
【００１８】
【図１】監視カメラの外観図である。
【図２Ａ】監視カメラの上面図である。
【図２Ｂ】監視カメラの前面図である。
【図２Ｃ】監視カメラの後面図である。
【図３】監視カメラの縦断面図である。
【図４】埋込み型としての設置状況を示す図である。
【図５Ａ】埋込み型としての設置手順を示す図である。
【図５Ｂ】埋込み型としての設置手順を示す図である。
【図６】露出型としての設置状況を示す図である。
【図７Ａ】露出型としての設置手順を示す図である。
【図７Ｂ】露出型としての設置手順を示す図である。
【図８】露出型としての設置状況の変形例を示す図である。
【発明を実施するための形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
［１．監視カメラの構成］
まず、図１〜図３を参照しながら、本発明の実施形態に係る監視カメラの構成について説明する。図１には、監視カメラの外観図（監視カメラを後部下面の方向から見た状態）が示されている。図２Ａ〜２Ｃには、監視カメラの上面図（図１に示す矢印２Ａの方向から見た図）、前面図（図１に示す矢印２Ｂの方向から見た図）、後面図（図１に示す矢印２Ｃの方向から見た図）が各々に示されている。図３には、監視カメラの縦断面図（図１に示す３−３´線沿いの断面図）が示されている。
【００２１】
図１〜図３に示すように、監視カメラは、撮像装置１１を搭載する撮像ブロック１０と、回路基板２１を搭載する本体ブロック２０からなる。
【００２２】
撮像ブロック１０は、撮像装置１１、撮像装置１１を覆うドーム状の撮像ケース１２、撮像装置１１の撮影方向を設置面Ｗに対してチルト方向で調節するためのチルト機構１３（図３参照）、後述する支持板５０（第１の支持部材）を取付け可能な支持板取付け部３０（第１の取付け部）を含む。
【００２３】
撮像装置１１は、不図示のレンズ、シャッタ、アイリス、ＣＣＤ等を含む。撮像装置１１は、被写体の光像をＣＣＤに結像して撮像信号に変換し、本体ブロック２０に搭載された回路基板２１に供給する。
【００２４】
撮像ケース１２は、樹脂等により形成されることが望ましい。撮像ケース１２には、ドームの天頂から裾に至る帯状の開口１２ａが設けられている。撮像ケース１２には、本体ブロック２０の後述する本体ケース２２を装着するために、ドームの裾沿いに円弧状の装着溝１２ｂが設けられている（図３参照）。
【００２５】
チルト機構１３は、撮像装置１１を撮像ケース１２に対して可動支持する支持部材として構成される。チルト機構１３は、撮像装置１１の受光部１１ａが開口１２ａに沿って摺動自在となるように撮像装置１１を支持している。
【００２６】
撮像ケース１２と本体ケース２２の接続部には、支持板５０を取付け可能な支持板取付け部３０が設けられている。支持板取付け部３０は、撮像ケース１２の裾沿いに円弧状の溝として設けられている。なお、支持板取付け部３０は、撮像ケース１２と本体ケース２２の接続部に代えて、本体ケース２２の前端部（撮像ケース１２が装着される端部）に設けられてもよい。
【００２７】
本体ブロック２０は、撮像装置１１用の回路基板２１、回路基板２１を搭載する略円筒状の本体ケース２２、回路基板２１を外部接続するための接続端子部２３（図３参照）、後述する支柱６０（第２の支持部材）を取付け可能な支柱取付け部４０（第２の取付け部）を含む。
【００２８】
回路基板２１は、撮像装置１１を駆動制御し、撮像信号を処理するための電子部品を搭載している。回路基板２１は、回路基板２１は、撮像装置１１のレンズ、シャッタ、アイリス、ＣＣＤ等を駆動制御する。ＣＣＤから供給される撮像信号に所定の処理を施し、外部の記録・出力装置（不図示）に供給する。回路基板２１は、本体ケース２２の長手方向に沿って本体ケース２２内に配置されている。
【００２９】
本体ケース２２は、撮像ケース１２のドーム直径に相当する直径を伴う円筒状部材として構成される。よって、監視カメラは、撮像ブロック１０と本体ブロック２０が一体化された状態で、略寸胴状の外観を呈することになる。本体ケース２２は、アルミニウム等の軽量金属により形成されることが望ましく、特に、押出し成形されることが望ましい。
【００３０】
本体ケース２２の外周には、回路基板２１から発生する熱を本体ケース２２の外部に効率的に放出するために、多数の放熱フィン２２ａが設けられている。本体ケース２２には、撮像ブロック１０の撮像ケース１２を装着するために、前端部の外周沿いに円弧状の装着爪２２ｂが設けられている（図３参照）。
【００３１】
本体ケース２２の後面には、接続端子部２３および放熱開口２４が設けられている。接続端子部２３は、外部装置との間で信号を伝送するための信号端子、回路基板２１に電源を供給するための電源端子等を含む。放熱開口２４は、回路基板２１から発生する熱を本体ケース２２の外部に放出する。
【００３２】
本体ケース２２の上面には、支柱６０を取付け可能な支柱取付け部４０が設けられている。本体ケース２２の上面は、支柱取付け部４０を設けるために平坦面として形成されている。支柱取付け部４０は、本体ケース２２の上面に螺合溝として設けられている。なお、支柱取付け部４０は、螺合溝に代えて、螺合突起等、支柱６０に取付け可能な任意形態の部材として設けられてもよい。また、支柱取付け部４０は、本体ケース２２の上面に代えて、本体ケース２２の下面、側面に設けられてもよい。
【００３３】
図３に示すように、本体ケース２２内には、支柱取付け部４０に近接して、回路基板２１上の高発熱部品２５に接触する熱伝導部材２６が設けられている。そして、支柱取付け部４０には、熱伝導性を有する支柱６０の先端（後述する螺合突起６０ａ）が熱伝導部材２５に接触するように、支柱６０が取付けられる。これにより、高発熱部品２５から発生した熱は、熱伝導部材２６を介して支柱６０に伝導し、本体ケース２２の外部に効率的に放出される。
【００３４】
［２．監視カメラの設置方法］
つぎに、図４〜図８を参照しながら、本発明の実施形態に係る監視カメラの設置方法について説明する。図４および図５Ａ、５Ｂには、埋込み型としての設置状況および設置手順が各々に示されている。図６および図７Ａ、７Ｂには、露出型としての設置状況および設置手順が各々に示されている。また、図８には、露出型としての設置状況の変形例が示されている。
【００３５】
［２−１．埋込み型としての設置方法］
まず、図４および図５Ａ、５Ｂを参照しながら、埋込み型としての設置方法について説明する。
【００３６】
図４に示すように、支持板５０は、監視カメラを埋込み型として使用する場合に利用される。支持板５０は、本体ブロック２０が天井等の壁面Ｗに埋込まれた状態で、監視カメラを壁面Ｗに支持する。
【００３７】
支持板５０は、例えば、樹脂等により形成されたドーナツ状の板状部材である。なお、支持板５０は、ドーナツ状に代えて、枠状、羽根状等、監視カメラを壁面Ｗに支持可能な任意形態の部材として設けられてもよい。支持板５０には、ドーナツ面の内周沿いに円弧状の取付け爪５０ａが設けられ、ドーナツ面に取付けネジＳ用のネジ孔５０ｂが設けられている。支持板５０は、監視カメラの付属品として提供される。
【００３８】
支持板５０は、その中央開口５０ｃに撮像ブロック１０が挿通され、撮像ブロック１０の支持板取付け部３０に取付け爪５０ａが係合される。そして、支持板５０は、監視カメラを壁面Ｗに支持するために、ネジ孔５０ｂに挿入された取付けネジＳを介して壁面Ｗに取付けられる。支持板５０の取付け爪５０ａと支持板取付け部３０は、固定状態で係合されてもよく、可動状態で係合されてもよい。支持板５０の取付け爪５０ａと支持板取付け部３０を可動状態で係合すると、撮影方向を設置面Ｗに対してパン方向で調節するためのパン機構が実現される。
【００３９】
監視カメラは、図５Ａ、５Ｂに示す設置手順により、壁面Ｗに設置される。第１に、状態ＳＴ１として示すように、天井等の壁面Ｗに、本体ブロック２０を埋込むための設置穴Ｈおよび取付けネジＳ用のネジ孔ＳＨを穿設する。具体的には、本体ブロック２０の横断形状に即して、例えば半径５０ｍｍ程の設置穴Ｈを穿設する。そして、接続端子部２３に接続する信号線、電源線等の接続コネクタ８０を設置穴Ｈから引出す。なお、接続コネクタ８０の他端は、監視カメラの設置に前後して、外部装置、電源に接続される。
【００４０】
第２に、状態ＳＴ２として示すように、本体ケース２２の装着爪２２ｂに撮像ケース１２の装着溝１２ｂを係合して、本体ブロック２０に撮像ブロック１０を装着する。なお、撮像装置１１と回路基板２１は、不図示の結線により接続されている。また、支持板５０の中央開口５０ｃに撮像ブロック１０を挿通し、支持板取付け部３０に取付け爪５０ａを介して支持板５０を取付ける。第３に、状態ＳＴ３として示すように、接続端子部２３に接続コネクタ８０を接続する。そして、本体ブロック２０を設置穴Ｈに挿入して壁面Ｗに埋込み、支持板５０のネジ孔５０ｂに挿入された取付けネジＳを介して支持板５０を壁面Ｗに取付ける。
【００４１】
第４に、状態ＳＴ４として示すように、撮影対象をカバーするように、チルト機構１３（およびパン機構）を用いて撮影方向を調節する。つまり、撮像装置１１の受光部１１ａを開口１２ａに沿って摺動させて、撮影方向をチルト調節Ｔする。また、パン機構を有する場合、支持板５０に対して監視カメラを回動させて、撮影方向をパン調節Ｔする。なお、パン調節Ｐは、チルト調節Ｔに前後して行われる。これにより、壁面Ｗに対して撮影方向をチルト方向、パン方向で調節することができる。
【００４２】
埋込み型として使用する場合、監視カメラが略寸胴状、特に略円柱状の外形を有するので、設置穴Ｈを容易に穿設することができる。また、撮像ブロック１０と本体ブロック２０が一体化された状態で設置されるので、撮像ブロック１０と本体ブロック２０を別々に設置する場合に比して、設置作業を簡略化することができる。
【００４３】
［２−２．露出型としての設置方法］
つぎに、図６〜図８を参照しながら、露出型としての設置方法について説明する。
【００４４】
図６に示すように、支柱６０は、監視カメラを露出型として使用する場合に利用される。支柱６０は、本体ブロック２０（および撮像ブロック１０）が天井等の壁面Ｗから露出した状態で、監視カメラを壁面Ｗに支持する。監視カメラは、少なくとも部分的に外装ケース（不図示）により覆われていてもよい。
【００４５】
支柱６０は、例えば、樹脂、金属等により形成された柱状の部材である。支柱６０は、支柱６０に取付けられた監視カメラの撮影方向を、設置面Ｗに対してパン方向で調節可能とするパン機構を有してもよい。なお、支柱６０は、三脚状の部材として構成されてもよい。また、支柱６０は、監視カメラを天井から吊下げて支持するものでもよく、側壁から突出して支持するものでもよい。支柱６０は、監視カメラの付属品として提供される。
【００４６】
支柱６０には、監視カメラが取付けられる側に螺合突起６０ａが設けられている。なお、支柱６０には、螺合突起６０ａに代えて、螺合溝等、支柱取付け部４０に取付け可能な任意形態の部材が設けられてもよい。支柱６０には、壁面Ｗに支柱６０を取付けるための取付けネジＳ用のネジ孔６０ｂが設けられている。支柱６０は、監視カメラを壁面Ｗに支持するために、支柱取付け部４０（螺合溝）に螺合突起６０ａが係合され、ネジ孔６０ｂに挿入された取付けネジＳを介して壁面Ｗに取付けられる。
【００４７】
監視カメラは、図７Ａ、７Ｂに示す設置手順により、壁面Ｗに設置される。第１に、状態ＳＴ１として示すように、天井等の壁面Ｗに、取付けネジＳ用のネジ孔ＳＨを穿設する。支柱６０は、天井等の壁面Ｗに、支柱６０の底面を当接させ、ネジ孔６０ｂに挿入された取付けネジＳを介して壁面Ｗに取付けられる。また、接続端子部２３に接続可能となるように、接続コネクタ８０を一端に有する接続線を壁面Ｗ沿いに配置する。なお、接続線の他端は、監視カメラの設置に前後して、外部装置、電源に接続される。
【００４８】
第２に、状態ＳＴ２として示すように、本体ケース２２の装着爪２２ｂに撮像ケース１２の装着溝１２ｂを係合して、本体ブロック２０に撮像ブロック１０を装着する。第３に、状態ＳＴ３として示すように、接続端子部２３に接続コネクタ８０を接続する。そして、支柱取付け部４０（螺合溝）に支柱６０の螺合突起６０ａを係合して支柱６０に監視カメラを取付ける。
【００４９】
第４に、状態ＳＴ４として示すように、撮影対象をカバーするように、チルト機構１３を用いて撮影方向を調節する。つまり、撮像装置１１の受光部１１ａを開口１２ａに沿って摺動させて、撮影方向をチルト調節Ｔする。これにより、壁面Ｗに対して撮影方向をチルト方向で調節することができる。
【００５０】
露出型として使用する場合、通常であれば、撮影方向をチルト方向で調節する必要があるので、チルト機構１３を有する支柱６０が利用される。しかし、監視カメラのチルト機構１３を用いて撮影方向がチルト調節可能となるので、チルト機構１３を有する支柱６０を利用しなくてもよく、支柱６０の構造を簡略化することができる。
【００５１】
図８には、支柱６０に代わる簡素な支持部材７０を用いて、露出型として使用する場合の設置状況が示されている。
【００５２】
図８に示すように、支持部材７０は、１つのボルト７１と２つのナット７２、７３からなる。ボルト７１は、壁面Ｗに穿設されたボルト孔に、壁面Ｗの背面から挿通される。ボルト７１は、壁面Ｗの前面からボルト軸に螺合された第１のナット７２により壁面Ｗに固定される。また、ボルト７１の先端には、第２のナット７３が螺合され、さらに支柱取付け部材４０（螺合溝）が係合されることで、支持部材７０に監視カメラが締結される。なお、接続端子部２３には、壁面Ｗ沿いに配線された接続線の一端の接続コネクタ８０が接続される。監視カメラは、支持部材７０に取り付けられた後、チルト機構１３を用いて、撮影方向がチルト調節Ｔされる。
【００５３】
変形例の場合も、監視カメラのチルト機構１３を用いて撮影方向がチルト調節Ｔ可能となるので、チルト機構１３を有する支持部材を利用する必要がない。また、第２のナット７３の締結の調節により撮影方向がパン調節Ｐ可能となるので、パン機構を有する支持部材を利用する必要もない。これにより、支柱６０に代わる簡素な支持部材を用いて、監視カメラを露出型として使用することができる。
【００５４】
［３．まとめ］
以上説明したように、本発明の実施形態に係る監視カメラによれば、支持板５０を用いることで、監視カメラを埋込み型として設置する一方で、支柱６０を用いることで、監視カメラを露出型として設置することができる。そして、撮影対象をカバーするように、設置形式に応じて撮像装置１１の撮影方向をチルト調節Ｔすることで、監視カメラを埋込み型または露出型として機能させることができる。これにより、監視カメラを埋込み型および露出型の間で相互に転用することができる。
【００５５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５６】
１０    撮像ブロック
１１    撮像装置
１２    撮像ケース
１３    チルト機構
２０    本体ブロック
２１    回路基板
２２    本体ケース
２３    接続端子部
３０    支持板取付け部
４０    支柱取付け部
【図１】
2011114709.tif 000003
【図２Ａ】
2011114709.tif 000004
【図２Ｂ】
2011114709.tif 000005
【図２Ｃ】
2011114709.tif 000006
【図３】
2011114709.tif 000007
【図４】
2011114709.tif 000008
【図５Ａ】
2011114709.tif 000009
【図５Ｂ】
2011114709.tif 000010
【図６】
2011114709.tif 000011
【図７Ａ】
2011114709.tif 000012
【図７Ｂ】
2011114709.tif 000013
【図８】
2011114709.tif 000014